(57)【要約】【課題】  立体感のある表示を可能にし、これにより視認性を向上し、また印象の残り易さや格調の高さを改善する。【解決手段】  表示プレート１０は、光を透過するベース層４と、ベース層４の表面に設けられた黒色層３と、黒色層３の表面に設けられた黒色以外の表面層２と、ベース層４の裏面に設けられた反射層１とを備える。表面層２は、表示（文字Ｄ）に対応する形状の開口７を有し、黒色層３は、表面層２の開口７と同一形状の開口９を有している。表示プレート１０を斜め方向から観察すると、文字Ｄの輪郭に沿って黒色像８（黒色層３が反射層１に映った像）が観察されるため、文字Ｄが浮き上がったような立体感が得られ、その結果、視認性が向上する。【選択図】        図４
2006330015.tif 000002
【特許請求の範囲】
【請求項１】
光を透過するベース層と、
前記ベース層の表面に設けられ、所定の表示に対応する形状のパターンを有する黒色の第１層と、
前記第１層の表面に設けられ、前記パターンと略同一形状のパターンを有し、黒色以外の色が付与された第２層と、
前記ベース層の裏面に設けられた反射層と
を備えた表示プレート。
【請求項２】
前記第１層及び前記第２層の各パターンが、前記第１層及び前記第２層にそれぞれ形成された開口であることを特徴とする請求項１に記載の表示プレート。
【請求項３】
前記ベース層が、合成樹脂又はガラスにより構成されていることを特徴とする請求項１又は２に記載の表示プレート。
【請求項４】
光を透過するベース層の表面に、所定の表示に対応する形状のパターンを有するように、黒色の第１層を形成する工程と、
前記第１層の表面に、前記第１層の前記パターンと略同一形状のパターンを有するように、黒色以外の色を付与した第２層を形成する工程と、
前記ベース層の裏面に、反射層を形成する工程と
を含むことを特徴とする表示プレートの製造方法。
【請求項５】
前記第１層を形成する工程では、前記ベース層の表面に、黒色の顔料を含む樹脂を印刷することを特徴とする請求項４に記載の表示プレートの製造方法。
【請求項６】
前記第２層を形成する工程では、前記第１層の表面に、黒色以外の顔料を含む樹脂を印刷することを特徴とする請求項４又は５に記載の表示プレートの製造方法。
【請求項７】
前記反射層を形成する工程では、前記ベース層の裏面に金属箔を熱溶着することを特徴とする請求項４から６までのいずれかに記載の表示プレートの製造方法。
【発明の詳細な説明】
【技術分野】
【０００１】
本発明は、文字や図形などを表示する表示プレート、及びその製造方法に関する。
【背景技術】
【０００２】
従来より、電子機器の意匠面に取り付けられ、文字、図形、模様などを表示する表示プレートが広く用いられている。表示プレートとしては、透明板の表面に着色層を形成し、その表面に、文字形状の開口を有する黒色層を形成したものが知られている（例えば、特許文献１参照）。また、合成樹脂からなる表面層の上に、文字をあしらった表示体を溶着したものも知られている（例えば、特許文献２参照）。
【０００３】
【特許文献１】特開平１１−３８９１５号公報（第２−３頁、図１−２）
【特許文献２】特開平５−１００６２２号公報（第２−３頁、図１）
【発明の開示】
【発明が解決しようとする課題】
【０００４】
しかしながら、上述した表示プレートでは、文字等の表示が浮き上がって見えるような立体感に欠け、その結果、見る角度によっては光の反射のため表示が見にくいという問題がある。また、立体感の欠如に起因して、表示が印象に残りにくい、格調の高さに欠けるといった問題もある。
【０００５】
本発明は、上記の課題を解決するためになされたもので、その目的は、立体感のある表示を可能にし、これにより視認性を向上し、また印象の残り易さや格調の高さを改善することにある。
【課題を解決するための手段】
【０００６】
本発明に係る表示プレートは、光を透過するベース層と、前記ベース層の表面に設けられ、所定の表示に対応する形状のパターンを有する黒色の第１層と、前記第１層の表面に設けられ、前記第１層の前記パターンと略同一形状のパターンを有し、黒色以外の色が付与された第２層と、前記ベース層の裏面に設けられた反射層とを備えて構成される。
【発明の効果】
【０００７】
本発明に係る表示プレートでは、黒色以外の色を有する第２層の下（ベース層側）に、略同一形状のパターンを有する黒色の第１層を設けたので、表示プレートの観察者には、文字や図形等の表示（第２層のパターン）の輪郭に沿って黒色の縁が観察される。そのため、表示が浮き上がって見えるような立体感が得られ、視認性が向上する。また、表示が印象に残り易くなり、格調の高さも得られる。
【０００８】
さらに、第１層及び第２層の各パターンを、第１層及び第２層にそれぞれ形成された開口とすることにより、磨耗による表示の消失を抑制することができ、表示プレートの耐用寿命を長くすることができる。
【発明を実施するための最良の形態】
【０００９】
実施の形態１．
図１は、本実施の形態に係る表示プレート１０を示す分解斜視図である。本実施の形態に係る表示プレート１０は、例えば電子機器の意匠面に貼り付けられ、所定の表示（例えば文字Ｄ）を表すものである。ここで、「表示」は、文字に限らず、図形、模様などであってもよい。
【００１０】
表示プレート１０は、合成樹脂（例えばポリカーボネート）又はガラスにより構成された透明又は半透明のベース層４を有している。ベース層４は、シート状であってもよいし、板状であってもよい。
【００１１】
ベース層４の表面には、黒色が付与された黒色層（第１層）３が、例えば印刷法により形成されている。この黒色層３には、表示としての文字Ｄに対応する形状の開口（パターン）９が形成されている。
【００１２】
黒色層３の表面には、黒色以外の色が付与された表面層（第２層）２が形成されている。表面層２には、黒色層３の開口９と略同一形状の開口（パターン）７が、例えば印刷法により形成さている。表面層２の色は、黒色層３の黒色に対してコントラストの高い色であることが好ましく、ここではシルバーとする。
【００１３】
ベース層４の裏面（黒色層３と反対側の面）には、このベース層４に表面層２側から入射した光を反射する反射層１が形成されている。この反射層１は、例えばホットスタンプ箔（金属箔）をベース層４の裏面に熱溶着することなどにより形成されている。
【００１４】
反射層１の裏面（ベース層４と反対側の面）には、両面接着テープ５が貼り付けられている。この両面接着テープ５は、表示プレート１０を、例えば電子機器の意匠面に貼り付けるためのものである。両面接着テープ５の裏面（反射層１と反対側の面）は、剥離可能なセパレータ６により覆われている。
【００１５】
ここで、表示プレート１０の製造方法の一例について説明する。まず、合成樹脂（例えばポリカーボネート）又はガラスにより構成された透明又は半透明のベース層４を用意する。次いで、このベース層４の表面に、文字Ｄに対応する形状の開口パターン（開口９）を有するよう、黒色顔料を含む樹脂を印刷することにより、黒色層３を形成する。さらに、この黒色層３の表面に、開口９と同一形状の開口パターン（開口７）を有するよう、シルバー色の顔料を含む樹脂を印刷することにより、表面層２を形成する。そののち、ベース層４の裏面に、ホットスタンプ箔を熱溶着することにより、反射層１を形成する。次いで、反射層１の裏面に、両面接着テープ５及びセパレータ６を接着する。これにより、表示プレート１０が完成する。表示プレート１０を電子機器などに取り付ける際には、セパレータ６を剥がして両面接着テープ５の裏面を露出させ、その面を電子機器の意匠面等に貼り付ける。
【００１６】
次に、このように構成された表示プレート１０の作用について説明する。図２は、表示プレート１０を表面層２の側から見た図である。図３は、図２に示した線分ＩＩＩ−ＩＩＩにおける矢視方向の断面図である。表面層２の開口７と黒色層３の開口９とは互いに同一形状（ここでは、文字Ｄ）を有し、互いに重なり合っており、開口７，９を介して透明又は半透明のベース層４が露出している。
【００１７】
図４及び図５は、表示プレート１０を斜め方向から見た場合を説明するための断面図及び斜視図である。図４に示すように、表示プレート１０を斜め方向から観察すると、矢印Ｓで示すように、シルバーに着色された表面層２と、この表面層２に中抜きパターン（開口７，９）として形成された文字Ｄが観察される。さらに、矢印Ｂで示すように、黒色層３の反射層１に映った像（黒色像８とする。）が、開口７，９の内側に観察される。
【００１８】
図５に示すように、黒色像８は、文字Ｄ（開口７，９）の輪郭に沿って、すなわち文字Ｄに黒い影ができたように観察される。また、黒色像８は、表面層２よりもベース層４の厚み分だけ離れているため、表示プレート１０を観察する角度によって、観察される影（黒色像８）の幅が変化する。その結果、文字Ｄが、周囲から浮き上がったように立体感をもって観察され、表示（文字Ｄ）の視認性が向上する。
【００１９】
図６は、実施の形態１に対する比較例に係る表示プレート１００を示す断面図である。この表示プレート１００は、透明又は半透明のベース層１０４の表面に、文字Ｄに対応する形状の開口１０７を有するシルバーの表面層１０２を形成し、ベース層１０４の裏面に反射層１０１、両面接着テープ１０５及びセパレータ１０６を順次形成したものである。図６に示した表示プレート１００では、表面層１０２の反射層１０１に映った像１０８は、表面層１０２と同じ色（シルバー）である。そのため、観察者は表面層１０２とその像１０８とを明確に区別することができず、従って文字Ｄが周囲から浮き上がったように立体感を持って観察されることはない。
【００２０】
これに対し、本実施の形態では、表面層２（シルバー）の下に黒色層３が形成されており、この黒色層３が反射層１に映って黒色像８が形成されるため、表面層２と黒色像８との高いコントラストが得られ、これにより、文字Ｄが周囲から浮き上がったように立体感をもって観察される。このように、表示（文字Ｄ）の立体感が得られることにより、視認性が向上するのみならず、文字Ｄが印象に残りやすくなり、また格調が高くなるといった効果が得られる。
【００２１】
また、表面層２及び黒色層３の表示（文字Ｄ）に対応する部分が開口７，９であるため、表面層２の磨耗による表示の消滅が生じにくく、表示プレート１０の寿命を長くすることができる。
【００２２】
さらに、ベース層４を合成樹脂又はガラスにより構成するようにしたので、ベース層４によって表示プレート１０の全体を支持することが可能になる。
【００２３】
加えて、表面層２及び黒色層３を印刷法で形成するようにしたので、所望の色及びパターン（例えば文字Ｄ）を有する表面層２及び黒色層３を、ベース層４上に容易に形成することができる。
【００２４】
また、反射層１を、ベース層４への金属箔の溶着により形成するようにしたので、ベース４の裏面で光を反射させる構成を容易に実現することができる。
【００２５】
なお、上記の説明では、表面層２の色をシルバーとしたが、シルバーに限らず、黒色層３の色（黒色）に対して高いコントラストが得られる色であればよい。
【００２６】
また、上記の説明では、表示（文字Ｄ）に対応する形状の開口７を中抜きパターンとして形成したが、逆に、表示（文字Ｄ）に対応する部分のみを表面層２とし、文字Ｄの周囲の部分でベース層４が露出するようにしてもよい。
【００２７】
さらに、上記の説明では、表面層２及び黒色層３をそれぞれ印刷法で形成するとしたが、例えばシートであってもよい。
【００２８】
加えて、上記の説明では、表示プレート１０を電子機器の意匠面に貼り付けて利用することとしたが、電子機器以外に貼り付けて利用してもよい。
【図面の簡単な説明】
【００２９】
【図１】本発明の実施の形態１に係る表示プレートを示す分解斜視図である。
【図２】本発明の実施の形態１に係る表示プレートを示す正面図である。
【図３】本発明の実施の形態１に係る表示プレートの部分断面図である。
【図４】本発明の実施の形態１に係る表示プレートの作用を説明するための断面図である。
【図５】本発明の実施の形態１に係る表示プレートの作用を説明するための斜視図である。
【図６】本発明の実施の形態１に対する比較例に係る表示プレートを示す断面図である。
【符号の説明】
【００３０】
１  反射層、  ２  表面層、  ３  黒色層、  ４  ベース層、  ５  両面粘着テープ、  ６  セパレータ、  ７，９  開口、  ８  黒色像、  １０  表示プレート。
【図１】
2006330015.tif 000003
【図２】
2006330015.tif 000004
【図３】
2006330015.tif 000005
【図４】
2006330015.tif 000006
【図５】
2006330015.tif 000007
【図６】
2006330015.tif 000008